(57)【特許請求の範囲】
【請求項１】
遊技台盤面上の表示部を前側から覆う状態に配置した多層泡発生役物を有し、
前記多層泡発生役物は、少なくとも、前記遊技台盤面の前方に配置された後側泡発生役物と、当該後側泡発生役物の前側に積層されている前側泡発生役物とを備えており、
前記後側泡発生役物および前記前側泡発生役物のそれぞれは、
前記遊技台盤面の前方から前記表示部を透視可能な扁平な液体容器と、
前記液体容器に貯留されている透明な液体と、
前記液体容器内の底部に配置されている多孔質素材の泡発生管を備えた泡発生部と、
前記液体容器内の上部に形成した排気口とを備えており、
前記泡発生部のそれぞれには、当該泡発生部から前記液体容器の液体内に気体を送り込む送気管が接続され、
前記排気口のそれぞれには、当該排気口を介して前記液体容器の内部から外部に気体を排出する排気管が接続されていることを特徴とする遊技台。
【請求項２】
請求項１において、
前記前側泡発生役物と前記後側泡発生役物の間には、これらと同一構成の少なくとも１層の中間泡発生役物が積層されていることを特徴とする遊技台。
【請求項３】
請求項１または２において、
前記泡発生部のそれぞれにおける気泡放出位置、気泡放出量、気泡サイズ、気泡放出タイミング、気泡流の形成状態のうちの少なくとも一つが相互に異なることを特徴とする遊技台。
【請求項４】
請求項１ないし３のうちのいずれかの項において、
前記液体容器のそれぞれに貯留されている液体は、相互に粘度の異なる液体であることを特徴とする遊技台。
【請求項５】
請求項１ないし４のうちのいずれかの項において、
単一の共通液体容器を有し、
当該共通液体容器の内部は前記遊技台盤面の前後方向において複数に仕切られ、複数の前記液体容器が形成されていることを特徴とする遊技台。
【請求項６】
請求項１ないし５のうちのいずれかの項において、
前記泡発生部から発生した気泡を上方に導くために、前記液体容器のそれぞれの内部には、上下方向に延びる状態で、前記遊技台盤面に平行な横方向に所定の間隔で配列されている複数枚の泡ガイドフィンが備わっていることを特徴とする遊技台。
【発明の詳細な説明】
【技術分野】
【０００１】
本発明はパチンコ台などの遊技台に関し、特に、遊技台盤面に配置されている表示部の前側を覆う状態に多層泡発生役物が取り付けられている遊技台に関する。
【背景技術】
【０００２】
遊技台、例えばパチンコ台においては、その遊技台盤面の中央にはセンター役物が配置され、その周りに、特定入賞口、一般入賞口などが配置されている。センター役物は、例えば３列の図柄が液晶画面等においてスクロール表示され、図柄が揃った時にパチンコ台が大当たりなどの特定状態に切り換わるようになっている。また、２個の図柄が揃った所謂リーチ状態になると、液晶表示画面にキャラクタを出現させ、あるいは、背景の色、形態などを変化させることにより、リーチ状態の演出効果を高めている。
【０００３】
このような表示状態の変化は平面的なものであり演出効果を高めるには限界がある。これを改善するために、センター役物の前面に泡発生役物を配置した構成の遊技台が提案されている。特許文献１においては、表示装置（センター役物）の前面に、液体注入容器を配置し、この中に注入されている液体に泡を発生させるように構成された遊技機が提案されている。
【０００４】
この構成の遊技台では、泡が発生している液体注入容器を介して背後に配置されている表示装置の演出状態を目視させることにより、表示画面による平面的な演出では得られない奥行のある演出効果および泡による演出効果が期待される。
【先行技術文献】
【特許文献】
【０００５】
【特許文献１】特開２００４−８６６０号公報
【発明の概要】
【発明が解決しようとする課題】
【０００６】
従来において提案されている泡発生役物は、液体注入容器、すなわち透明水槽内に泡を発生させ、泡が発生している状態の透明水槽を介してセンター役物などの表示部を透視させることにより、表示部の表示状態に変化を付けている。泡発生役物は、遊技台盤面の前側に配置されるので、一般的な水槽に比べて寸法が小さく、特に厚さが極めて薄い扁平な形状とされる。
【０００７】
このため、透明水槽内において多数の泡放出口から泡を放出する場合には、各泡放出口からの泡の放出によって水流が発生し、これらの水流が相互に干渉して、透明水槽内に乱流あるいは上下方向の旋回流れが発生してしまう。したがって、従来の泡発生役物では、その透明水槽内において、変化に富む気泡の流れを意図的に形成することが極めて困難であり、例えば、センター役物の表示内容に応じて最も効果的な泡の流れを演出するなどの泡の制御が困難である。
【０００８】
本発明の課題は、この点に鑑みて、変化に富む気泡の流れを発生させることのできる多層泡発生役物を備えた遊技台を提案することにある。
【課題を解決するための手段】
【０００９】
上記の課題を解決するために、本発明の遊技台は、
遊技台盤面上の表示部を前側から覆う状態に配置した多層泡発生役物を有し、
前記多層泡発生役物は、少なくとも、前記遊技台盤面の前方に配置された後側泡発生役物と、当該後側泡発生役物の前側に積層されている前側泡発生役物とを備えており、
前記後側泡発生役物および前記前側泡発生役物のそれぞれは、
前記遊技台盤面の前方から前記表示部を透視可能な扁平な液体容器と、
前記液体容器に貯留されている透明な液体と、
前記液体容器内の底部に配置されている多孔質素材の泡発生管を備えた泡発生部と、
前記液体容器内の上部に形成した排気口とを備えており、
前記泡発生部のそれぞれには、当該泡発生部から前記液体容器の液体内に気体を送り込む送気管が接続され、
前記排気口のそれぞれには、当該排気口を介して前記液体容器の内部から外部に気体を排出する排気管が接続されていることを特徴としている。
【００１０】
本発明の遊技台では、その盤面に配置されたセンター役物などの表示部が多層泡発生役物によって覆われている。多層泡発生役物は、前側泡発生役物および後側泡発生役物を備えており、これらが盤面に垂直な方向に積層されている。各泡発生役物の液体容器内における気泡の発生、発生した気泡の流れが相互に干渉することはない。よって、一方の泡発生役物において下から上に向かう気泡流を形成し、他方の泡発生役物において全体的にランダムに動く状態に気泡を発生させることができる。この結果、盤面の前方から見た場合に、これらの異なる気泡の流れが重畳され、液体容器内において意図した異なる気泡の流れが形成された状態になる。したがって、表示部の表示内容に応じて最も効果的に演出可能な気泡の流れを形成することができる。また、多様な気泡の流れが形成されるので、遊技台の盤面の演出効果を高めることができる。更に、微細な気泡を多数発生させることも可能である。
【００１１】
ここで、多層泡発生役物は２層に限定されるものではなく、３層以上とすることも可能である。すなわち、多層泡発生役物を、前側泡発生役物と後側泡発生役物の間に、これらと同一構成の少なくとも１層の中間泡発生役物が積層された構成とすることができる。
【００１２】
また、各層の泡発生役物において、気泡放出位置、気泡放出量、気泡サイズ、気泡放出タイミング、気泡流の形成状態（気泡移動経路、気泡移動速度、気泡流の広がり状態）を異なるものとすれば、遊技台盤面の演出効果を高めることができる。
【００１３】
このためには、各層の泡発生役物の液体容器に供給される気体の供給圧力、供給流量を変えるようにすればよい。また、各層の泡発生役物の液体容器内における泡放出口の位置を相互に異なる位置にすればよい。さらに、各層の泡発生役物の液体容器内において、相互に異なる位置に泡ガイドを配置し、あるいは、異なる形状の泡ガイドを配置すればよい。
【００１４】
または、液体容器のそれぞれに貯留されている液体として、粘度が相互に異なる液体を用いることも有効である。
【００１５】
次に、多層泡発生役物をコンパクトに構成するためには、各層の液体容器を単一の共通液体容器とし、当該共通液体容器の内部を遊技台盤面の前後方向において複数に仕切ることにより、各層の液体容器を形成することが望ましい。
【００１６】
また、各層の泡発生役物において、液体容器内を下から上に向かう乱れの無い気泡上昇流を確実に形成できるようにするためには、各液体容器の内部において、上下方向に延びる状態で、遊技台盤面に平行な横方向に所定の間隔で複数枚の泡ガイドフィンを配置しておくことが望ましい。
【発明の効果】
【００１７】
本発明の遊技台では、その盤面に配置されたセンター役物などの表示部が多層泡発生役物によって覆われている。遊技者は、盤面の前方から各層の泡発生役物を介して盤面上のセンター役物などの表示部を透視する。各層の泡発生役物において、単に上方に移動する一条あるいは二条程度の単純な気泡流を形成しておいても、前方から見た場合に、それらが重畳されるので、多様な気泡発生形態が得られる。よって、本発明によれば、意図した
複雑かつ多様な気泡流を形成でき、更に、微細な気泡を発生させることができるので、遊技台の盤面の演出効果を高めることができる。
【図面の簡単な説明】
【００１８】
【図１】本発明を適用した遊技台の主要部分を示す説明図である。
【図２】図１の多層泡発生役物を示す概略構成図である。
【図３】多層泡発生役物を構成する一つの泡発生役物の一例を示す説明図である。
【図４】多層泡発生役物を構成する一つの泡発生役物の一例を示す説明図である。
【図５】多層泡発生役物を構成する一つの泡発生役物の一例を示す説明図である。
【図６】本発明を適用した遊技台の別の例を示す説明図である。
【発明を実施するための形態】
【００１９】
以下に、図面を参照して本発明を適用した遊技台の実施の形態を説明する。
【００２０】
図１は本実施の形態に係る遊技台の主要部分を示す説明図である。遊技台１は例えばパチンコ台であり、その全体構成は一般的に用いられているものと同様であり、その遊技台盤面２の中央にはセンター役物３が配置されている。センター役物３の表面には、例えば液晶表示装置の矩形の表示画面４が点線で示すように露出しており、ここには遊技の進行状態、入賞状態などに応じて各種の図柄などが表示される。
【００２１】
センター役物３の前側には多層泡発生役物５が取り付けられている。多層泡発生役物５は可視光を透過可能であり、当該多層泡発生役物５によってセンター役物３における表示画面４が覆い隠されている。したがって、遊技台１の前方から多層泡発生役物５を通して表示画面４を目視できるようになっている。
【００２２】
図２は多層泡発生役物５を示す概略ブロック図である。多層泡発生役物５は、遊技台１のセンター役物３の表示画面４の前側を覆っている後側泡発生役物５Ａと、この前側に積層配置されている前側泡発生役物５Ｂとを備えた２層泡発生役物である。勿論、これらの間に１層の中間泡発生役物を備えた３層泡発生役物とすることもでき、２層以上の中間泡発生役物を備えた多層泡発生役物とすることも可能である。
【００２３】
後側泡発生役物５Ａは、センター役物３の表示画面４の前側に位置する透明な液体容器１１Ａを備えている。液体容器１１Ａは厚さ（遊技台盤面２に直交する方向の厚さ）が薄い扁平な直方体形状の容器であり、この内部には透明な液体１２Ａを封入してある。例えば透明なグリセリンが封入されている。液体容器１１Ａの底部側には泡発生部１３Ａが取り付けられている。泡発生部１３Ａは液体容器１１Ａの底板１１ａを貫通して上下方向に延びる２本の泡放出管１４Ａを備えており、各泡放出管１４Ａの上端開口が泡放出口１４Ａａである。また、液体容器１１の天板１１ｂには排気口１５Ａが形成されている。
【００２４】
液体容器１１Ａの内部には、その底側の部位に複数枚、本例では２組（４枚）の泡ガイドフィン１６Ａが配置されている。泡ガイドフィン１６Ａは液体容器１１Ａの内部において、その底板１１ａから垂直に上方に延びている所定長さの直線状のフィンである。各組の泡ガイドフィン１６Ａは、各泡放出管１４Ａにおける液体容器１１Ａの内部に位置する部分の両側位置、すなわち、遊技台盤面２に平行な横方向の両側に配置されている。各泡ガイドフィン１６Ａは、液体容器１１Ａの前後の板の間に架け渡す状態に形成されており、泡ガイドフィン１６Ａが配置されている液体容器１１Ａの底部分は泡ガイドフィン１６Ａによって左右に仕切られている。泡ガイドフィン１６Ａの代わりに、液体容器１１Ａの前後の板の内側表面に沿って上下方向に延びる一定高さおよび幅の突起状のフィンを用いることも可能である。
【００２５】
なお、液体容器１１Ａの内部における底部以外の部位にも泡ガイドを配置することも可能である、例えば、液体容器１１Ａの幅方向（遊技台盤面２に平行な横方向）の両側おいて、左右対称な状態で幅方向の中央に向けて傾斜しているガイドを配置することも可能である。
【００２６】
次に、液体容器１１Ａの底に配置されている泡発生部１３Ａの各泡放出管１４Ａには、これらを介して液体容器１１Ａの内部に気体、例えば空気を送り込む送気管１８の分岐管１８Ａが接続されている。送気管１８の上流端は送気ポンプ１９の吐出ポート１９ａに接続されている。一方、液体容器１１Ａの天板１１ｂに形成した排気口１５Ａには排気管２０の分岐管２０Ａが接続されており、排気管２０の下流端は送気ポンプ１９の吸引ポート１９ｂに接続されている。
【００２７】
各泡放出管１４Ａには流量調整弁２１Ａが取り付けられており、各泡放出管１４Ａを介して供給される気体流量を個別に調整可能となっている。また、各泡放出管１４Ａに供給される気体の圧力は送気管１８の分岐管１８Ａに取り付けた圧力調整弁２２Ａによって調整可能となっている。なお、各泡放出管１４Ａにそれぞれ圧力調整機構を取り付けることも可能である。
【００２８】
次に、前側泡発生役物５Ｂは基本的な構成は後側泡発生役物５Ａと同様であり、後側泡発生役物５Ａの液体容器１１Ａの前側に積層された透明な液体容器１１Ｂを備えている。液体容器１１Ｂは液体容器１１Ａと同一の大きさの扁平な直方体形状の容器であり、この内部には透明な液体１２Ｂを封入してある。例えば透明なグリセリンが封入されている。本例では、液体容器１１Ａ、１１Ｂは単一の共通液体容器１１から形成されており、共通液体容器１１の内部が、その厚さ方向において仕切り板１１ｆによって前後に二分され、前側の区画が液体容器１１Ｂとされ、後側の区画が液体容器１１Ａとされている。勿論、独立した液体容器１１Ａ、１１Ｂを用いることも可能である。
【００２９】
液体容器１１Ｂの底部側には泡発生部１３Ｂが取り付けられている。泡発生部１３Ｂは液体容器１１Ｂの底板１１ａを貫通して上下方向に延びる２本の泡放出管１４Ｂを備えており、各泡放出管１４Ｂの上端開口が泡放出口１４Ｂａである。泡放出管１４Ｂは、後側泡発生役物５Ａにおける２本の泡放出管１４Ａに対して、横方向にオフセットした位置に配置されている。液体容器１１Ｂの天板１１ｂには排気口１５Ｂが形成されている。
【００３０】
液体容器１１Ｂの内部には、その底側の部位に複数枚、本例では３組（６枚）の泡ガイドフィン１６Ｂが配置されている。泡ガイドフィン１６Ｂは液体容器１１Ｂの内部において、その底板１１ａから垂直に上方に延びている所定長さの直線状のフィンである。各組の泡ガイドフィン１６Ｂは、各泡放出管１４Ｂにおける液体容器１１Ｂの内部に位置する部分の両側位置、すなわち、遊技台盤面２に平行な横方向の両側に配置されている。各泡ガイドフィン１６Ｂは、液体容器１１Ｂの前後の板の間に架け渡す状態に形成されており、泡ガイドフィン１６Ｂが配置されている液体容器１１Ｂの底部分は泡ガイドフィン１６Ｂによって左右に仕切られている。泡ガイドフィン１６Ｂの代わりに、液体容器１１Ｂの前後の板の内側表面に沿って上下方向に延びる一定高さおよび幅の突起状のフィンとすることも可能である。
【００３１】
なお、前側泡発生役物５Ｂにおいても、その液体容器１１Ｂの内部における底部以外の部位に泡ガイドを配置することが可能である、例えば、液体容器１１Ｂの幅方向（遊技台盤面２に平行な横方向）の両側おいて、左右対称な状態で幅方向の中央に向けて傾斜しているガイドを配置することも可能である。
【００３２】
次に、液体容器１１Ｂの底に配置されている泡発生部１３Ｂの各泡放出管１４Ｂには、これらを介して液体容器１１Ｂの内部に気体、例えば空気を送り込む送気管１８の分岐管１８Ｂが接続されている。液体容器１１Ｂの天板１１ｂに形成した排気口１５Ｂには排気管２０の分岐管２０Ｂが接続されている。
【００３３】
各泡放出管１４Ｂには流量調整弁２１Ｂが取り付けられており、各泡放出管１４Ｂを介して供給される気体流量を個別に調整可能となっている。また、各泡放出管１４Ｂに供給される気体の圧力は送気管１８の分岐管１８Ｂに取り付けた圧力調整弁２２Ｂによって調整可能となっている。なお、各泡放出管１４Ｂにそれぞれ圧力調整機構を取り付けることも可能である。
【００３４】
一方、後側泡発生役物５Ａおよび前側泡発生役物５Ｂの泡発生動作の制御は、遊技台１の制御装置２３によって行われる。制御装置２３はＣＰＵ、ＲＯＭ、ＲＡＭなどを備えた制御回路２４を備えており、制御回路２４によって遊技台１における遊技時の各部の動作が制御される。例えば、液晶ドライバ２５を介してセンター役物３の液晶表示装置を駆動制御して表示画面４の表示内容を制御する。また、ドライバ２６Ａ、２６Ｂを介して各流量調整弁２１Ａ、２１Ｂを制御して、各泡放出口１４Ａａ、１４Ｂａから放出される気泡の放出量を個別に調整する。さらに、ドライバ２７Ａ、２７Ｂを介して圧力調整弁２２Ａ、２２Ｂを制御して、各泡放出口１４Ａａ、１４Ｂａから放出される気泡のサイズを調整する。さらには、ドライバ２８を介して送気ポンプ１９を駆動制御する。
【００３５】
この構成の多層泡発生役物５においては、遊技台１での遊技動作の進行状態等に応じて変化するセンター役物３の表示画面４上の表示内容に応じて、泡放出制御が行われる。送気ポンプ１９を駆動して空気を液体容器１１Ａ、１１Ｂ内の各泡放出口１４Ａａ、１４Ｂａに供給すると、液体１２Ａ、１２Ｂ内において、各泡放出口１４Ａａ、１４Ｂａから気泡３０Ａ、３０Ｂが上方に向けて放出される。放出された気泡は、泡ガイドフィン１６Ａ、１６Ｂによって、ガイドされて上方に向かう乱れの無い上昇気泡流を形成する。したがって、放出された気泡３０Ａ、３０Ｂによって、後側の液体容器１１Ａ内には２条の上昇気泡流が形成され、前側の液体容器１１Ｂ内には３条の上昇気泡流が形成される。よって、前方から見た場合には、一定間隔で奥行のある５条の上昇気泡流が形成された状態になる。扁平な狭い空間において、明確に分離された多数条の上昇気泡流を形成することは困難であるが、本例では、仕切り板１１ｆによって分離された空間内において上昇気泡流が形成されるので、それらが相互に干渉することなく、明確に分離された上昇気泡流を形成できる。
【００３６】
液体容器１１Ａ、１１Ｂ内において、その中に封入されている液体１２Ａ、１２Ｂの液面１２Ａａ、１２Ｂａに到達した気泡３０Ａ、３０Ｂは、液面１２Ａａと天板１１ｂの間の隙間１１Ａｃおよび液面１２Ｂａと天板１１ｂの間の隙間１１Ｂｃに放出される。天板１１ｂには排気口１５Ａ、１５Ｂが形成されており、空気は排気口１５Ａ、１５Ｂから分岐管２０Ａ、２０Ｂおよび排気管２０を介して送気ポンプ１９に側に吸引されて還流する。
【００３７】
大当たり、確変などの事象が発生した場合には、センター役物３の表示内容が切り替わるが、これに同期させて多層泡発生役物５の後側泡発生役物５Ａおよび前側泡発生役物５Ｂの泡発生状態を切り替えることにより、演出効果を高めることができる。例えば、各泡発生役物において、供給気体の流量および圧力を高めて、大きなサイズの気泡を多量に発生させることができる。あるいは、供給気体の流量を多くし、その圧力を下げることにより、小さなサイズの気泡を大量に発生させることができる。双方の泡発生役物に供給される供給気体の供給圧力、供給流量を変えることにより、また、気体の供給を異なるタイミングで行うことにより、多様な気泡形成状態が得られる。
【００３８】
（泡発生役物の改変例）
ここで、微細な気泡を多数発生させるためには、泡発生部１３Ａ、１３Ｂとして、液体容器１１Ａ、１１Ｂ内の底部において遊技台盤面２に平行な横方向に延びる泡発生管を用い、この泡発生管を多孔質素材から形成しておけばよい。このようにすれば、図３に示すように、泡発生管４１の外周面からは多孔質部分を介して気体が放出されるので、微細な気泡が液体１２Ａ、１２Ｂ内に発生する。
【００３９】
また、多層泡発生役物５を通して見る表示内容の演出効果を高めるためには、液体容器１１Ａ、１１Ｂの内部を照明するためのＬＥＤなどの照明具を配置しておくことが望ましい。例えば、図３に示すように、液体容器１１Ａ、１１Ｂの底板１１ａの下面に、３個のＬＥＤ４２を取り付け、これらを上向きに発光させるようにすればよい。
【００４０】
次に、泡発生部１３Ａ、１３Ｂの泡放出口１４Ａａ、１４Ｂａとして、相互に異なる方向に向けて気泡を放出する泡放出口を配置することも可能である。例えば、図４に示すように、液体容器１１Ａ、１１Ｂの底板１１ａに１個の泡放出口１４Ａａ、１４Ｂａを開口させ、両側の側板１１ｄ、１１ｅの底側の部位に横方向から泡を放出する泡放出口１４Ａａ、１４Ｂａを開口させておくことができる。この場合においても、液体１２Ａ、１２Ｂの乱流などが発生しないように、中央の泡放出口１４Ａａ、１４Ｂａの両側に一対の泡ガイドフィン１６Ａ、１６Ｂを上下方向に配置しておけばよい。
【００４１】
次に、液体容器１１Ａ、１１Ｂ内に可動役物を配置しておき、これを、泡発生部１３Ａ、１３Ｂの泡放出口１４Ａａ、１４Ｂａから放出される気泡による液体流によって所定方向に移動させることも可能である。例えば、図５に示すように、液体容器１１Ａの左右の側板１１ｄ、１１ｅの内側に上下方向に揺動可能な可動役物４３を配置しておき、泡放出口１４Ａａ、１４Ｂａからの泡放出によって生ずる上昇液体流によって可動役物４３を上方に揺動させるようにしてもよい。この場合には、供給気体の流量を増減させることにより可動役物４３を上下に揺動させることができる。
【００４２】
一方、液体容器１１Ａ、１１Ｂ内に貯留されている液体１２Ａ、１２Ｂとして、多数の浮遊物を混入させておいても、多層泡発生役物５による演出効果を高めることができる。気泡放出によって形成される液体流に乗って浮遊物が移動するので、例えば、各色の浮遊物を液体１２Ａ、１２Ｂに混入させておけば、演出効果を一層高めることができる。
【００４３】
（その他の実施の形態）
上記の実施の形態は本発明をパチンコ台に適用したものである。本発明はパチンコ台におけるセンター役物以外の遊技台盤面上の表示部を覆う位置に配置することも可能である。また、パチンコ台以外の遊技台にも同様に適用可能である。例えば、図６に示すスロットマシンに適用することができる。スロットマシン５０はその盤面５１の中央にドラム部５２が配置されているので、ここを覆う状態に多層泡発生役物５を取り付けることができる。
【符号の説明】
【００４４】
１    遊技台
２    遊技台盤面
３    センター役物
４    表示画面
５    多層泡発生役物
５Ａ  後側泡発生役物
５Ｂ  前側泡発生役物
１１Ａ、１１Ｂ  液体容器
１１ａ  底板
１１ｂ  天板
１１ｃ  隙間
１１ｄ、１１ｅ  側板
１１ｆ  仕切り板
１２Ａ、１２Ｂ  液体
１３Ａ、１３Ｂ  泡発生部
１４Ａ、１４Ｂ  泡放出管
１４Ａａ、１４Ｂａ  泡放出口
１５Ａ、１５Ｂ  排気口
１６Ａ、１６Ｂ  泡ガイドフィン
１８  送気管
１８Ａ、１８Ｂ  分岐管
１９  送気ポンプ
２０  排気管
２０Ａ、２０Ｂ  分岐管
２１Ａ、２１Ｂ  流量調整弁
２２Ａ、２２Ｂ  圧力調整弁
２３  制御装置
２４  制御回路
２５  液晶ドライバ
２６Ａ、２６Ｂ、２７Ａ、２７Ｂ、２８  ドライバ
３０Ａ、３０Ｂ  気泡
４１  泡発生管
４２  ＬＥＤ
４３  可動役物
５０  スロットマシン
５１  盤面
５２  ドラム部
【図１】
0005657980.tif 000002
【図２】
0005657980.tif 000003
【図３】
0005657980.tif 000004
【図４】
0005657980.tif 000005
【図５】
0005657980.tif 000006
【図６】
0005657980.tif 000007